(57)【特許請求の範囲】
【請求項１】
板状部材差込み部が設けられた絶縁ハウジングと、
該絶縁ハウジング内に配列配置されて、配線板状部材が上記板状部材差込み部に差し込まれたとき、該配線板状部材における複数の接続端子部に接触接続される複数のコンタクトと、
上記絶縁ハウジングにおける上記板状部材差込み部が開口する部分を除く他の部分の表面を部分的に覆うものとして配され、上記板状部材差込み部内へと伸びて該板状部材差込み部に差し込まれた配線板状部材を係止する状態をとるロック部が形成されたシェル部材と、
を備えて成り、
上記シェル部材又は上記絶縁ハウジングに上記シェル部材に対して回動可能に取付けられて、上記ロック部に当接する状態と上記ロック部から離隔した状態とを選択的にとるロック補助部材が設けられており、上記ロック部が、上記ロック補助部材の当接を受ける受け部と配線板状部材を係止する係止部とを有して上記シェル部材により片持ち支持された弾性腕状部を成していて、上記受け部が上記ロック補助部材の当接を受けるとき、弾性変位を生じて上記係止部を上記板状部材差込み部内に突出させるものとされ、上記受け部が、上記ロック部が成す弾性腕状部における上記シェル部材との連結部分の近傍に形成されるとともに、上記係止部が、上記ロック部が成す弾性腕状部における自由端部分に形成されていることを特徴とするコネクタ装置。
【請求項２】
上記ロック補助部材が上記ロック部に当接する状態から上記ロック部から離隔した状態に移行したとき、上記受け部が上記ロック補助部材の当接を受けなくなり、上記ロック部が、弾性復帰を生じて上記係止部を上記板状部材差込み部外に位置させることを特徴とする請求項１記載のコネクタ装置。
【請求項３】
上記絶縁ハウジングが、上記板状部材差込み部を上記絶縁ハウジングの外部に連通させる透孔が設けられたものとされ、上記ロック部における上記係止部が上記透孔を通じて上記板状部材差込み部内に突出せしめられることを特徴とする請求項１記載のコネクタ装置。
【請求項４】
上記シェル部材又は上記絶縁ハウジングに第１の係合部が形成されるとともに、上記ロック補助部材に第２の係合部が形成され、上記ロック補助部材が上記ロック部に当接する状態をとるとき、上記第１及び第２の係合部が相互係合して、上記ロック補助部材を上記ロック部に当接した状態に維持することを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材が装着されるもとで、その配線板状部材に設けられた接続端子部を他の配線基板に電気的に接続された状態とするため、装着された配線板状部材に設けられた接続端子部に接触接続されるコンタクト及び装着された配線板状部材をその離脱を阻止すべく係止するロック部を備えたコネクタ装置に関する。
【背景技術】
【０００２】
各種の電子機器に実装される比較的小型なフレキシブル印刷配線基板やフレキシブル平板状ケーブル等の配線板状部材は、各種の電気部品が取り付けられる主配線基板への取付けが、当該主配線基板に電気的接続がなされて固定されるコネクタ装置が用いられて行われることが多いものとされる。このような配線板状部材の主配線基板への取付けにあたって用いられるコネクタ装置は、配線板状部材に設けられた接続端子部に接触接続される導電性のコンタクトを有していて、そのコンタクトを介して、配線板状部材に設けられた接続端子部を主配線基板に設けられた配線部における端子に電気的に接続する。
【０００３】
従来提案されている、例えば、フレキシブル印刷配線基板とされる配線板状部材の主配線基板への取付けに用いられるコネクタ装置は、配線板状部材が差し込まれる板状部材差込み部が設けられたものとされて主配線基板に配される、絶縁材料によって形成された絶縁ハウジングを有していて、その絶縁ハウジング内に配列配置されて設けられて主配線基板に設けられた配線端子に連結され、配線板状部材が絶縁ハウジングに設けられた板状部材差込み部に差し込まれるとき、その配線板状部材に設けられた複数の接続端子部に夫々対応するものとなる複数のコンタクトと、複数のコンタクトについての特性インピーダンス調整に貢献するものとして、さらには、外部からの電磁波ノイズ対策のため、即ち、外部からの電磁波ノイズに対するシールド効果を得るために、絶縁ハウジングを部分的もしくは全体的に覆うものとして配されて主配線基板に設けられた接地端子に連結される導電性のシェル部材とが備えられたものとされることが多い。そして、複数のコンタクトが配線板状部材に設けられた複数の接続端子部に夫々接触接続された状態におかれることにより、配線板状部材が主配線基板との電気的接続状態におかれる。
【０００４】
このような従来提案されているコネクタ装置にあっては、例えば、フレキシブル印刷配線基板とされる配線板状部材が、主配線基板に配された絶縁ハウジングに設けられた板状部材差込み部に差し込まれて、絶縁ハウジング内に配された複数のコンタクトが、板状部材差込み部に差し込まれた配線板状部材における複数の接続端子部に夫々接触接続され、それにより、配線板状部材が主配線基板との電気的接続状態におかれるにあたり、配線板状部材が絶縁ハウジングに設けられた板状部材差込み部から不所望に抜脱されるような事態が回避されなくてはならない。当然のことながら、絶縁ハウジング内に配された複数のコンタクトが板状部材差込み部に差し込まれた配線板状部材における複数の接続端子部に夫々接触接続された状態が適正に維持されるためには、板状部材差込み部に差し込まれた配線板状部材が、その状態を安定に維持することができ、板状部材差込み部から不所望に抜脱されるような事態をまねかないものとされることが必要とされるのである。
【０００５】
そのため、上述のような、絶縁ハウジングを有し、複数のコンタクトと導電性のシェル部材とが備えられたコネクタ装置であって、絶縁ハウジングに設けられた板状部材差込み部に差し込まれた配線板状部材に係合して、当該配線板状部材の板状部材差込み部からの不所望な抜脱を阻止する係止手段を備えたコネクタ装置も従来提案されている（例えば、特許文献１参照。）。
【０００６】
特許文献１に示されるコネクタ装置にあっては、絶縁ハウジング（ハウジング本体２）にそれに対して回動可能に設けられた導電性のシェル部材（シェル４）が備えられている。そして、シェル部材の一部に板ばね状の係止手段（足部４６）が形成されており、この係止手段の先端部にシェル部材の内側に向かう係止突起（係止突起４４）が設けられている。
【０００７】
このような絶縁ハウジングに対して回動可能とされたシェル部材が、その全体が絶縁ハウジングに近接することになる、絶縁ハウジングに対して伏した位置をとるときには、係止手段に設けられた係止突起が、絶縁ハウジングに形成された挿通孔（２３）を通じて、絶縁ハウジングに設けられた板状部材差込み部内に突出する。斯かるもとで、配線板状部材（ＦＰＣ）が絶縁ハウジングに設けられた板状部材差込み部（挿入空間部２２）に挿入口（２１）を通じて差し込まれると、絶縁ハウジング内に配された複数のコンタクト（コンタクト３（上部コンタクト３１，下部コンタクト３２））が、板状部材差込み部に差し込まれた配線板状部材における複数の接続端子部に夫々接触接続されるとともに、板状部材差込み部内に突出するものとされた係止手段における係止突起が、板状部材差込み部に差し込まれた配線板状部材に設けられた係合部（ＦＰＣ係合孔）に係合する。それにより、絶縁ハウジングに設けられた板状部材差込み部に差し込まれた配線板状部材の板状部材差込み部からの不所望な抜脱が阻止される。
【０００８】
その後、係止手段に設けられた係止突起が絶縁ハウジングに設けられた板状部材差込み部に差し込まれた配線板状部材に設けられた係合部に係合したもとで、絶縁ハウジングに対して回動可能とされたシェル部材が、絶縁ハウジングに対して起き上がった位置をとるべく回動操作されると、シェル部材に形成された係止手段もシェル部材に伴って変位し、それに設けられた係止突起が配線板状部材に設けられた係合部との係合を解除する。それにより、絶縁ハウジングに設けられた板状部材差込み部に差し込まれた配線板状部材が、板状部材差込み部から抜脱され得る状態におかれる。
【先行技術文献】
【特許文献】
【０００９】
【特許文献１】特開２００８−１９２５７４号公報  （段落００２６，００２７，００３１〜００３４，図１〜６）
【発明の概要】
【発明が解決しようとする課題】
【００１０】
上述のような、フレキシブル印刷配線基板等の配線板状部材の主配線基板への取付けに用いられるコネクタ装置であって、絶縁ハウジングに設けられた板状部材差込み部に差し込まれた配線板状部材の板状部材差込み部からの不所望な抜脱を阻止する係止手段を備えたものとして従来提案されているコネクタ装置にあっては、絶縁ハウジングに対して回動可能とされたシェル部材が備えられ、そのシェル部材の一部に係止突起が設けられた係止手段が形成されていて、シェル部材が絶縁ハウジングに対して伏した位置をとるとき、係止手段に設けられた係止突起が、絶縁ハウジングに形成された挿通孔を通じて絶縁ハウジングに設けられた板状部材差込み部内に突出して、板状部材差込み部に差し込まれた配線板状部材を係止するものとされる。
【００１１】
このような、絶縁ハウジングに対して回動可能とされたシェル部材が備えられ、そのシェル部材の一部に係止突起が設けられた係止手段が形成された従来のコネクタ装置の場合には、シェル部材が絶縁ハウジングに対して回動可能とされるので、例えば、コネクタ装置の主配線基板への固定のためにシェル部材を利用することができず、別途、コネクタ装置を主配線基板に固定するための部材（ホールドダウン部材）を備えることが必要とされ、そのことが、コネクタ装置の製造コストを嵩ませる要因となる。また、シェル部材を絶縁ハウジングに対して回動させて絶縁ハウジングに対して伏した位置をとらせ、それにより、シェル部材の一部に形成された係止手段における係止突起を、絶縁ハウジングに形成された挿通孔を通じて絶縁ハウジングに設けられた板状部材差込み部内に突出するものとするにあたり、例えば、シェル部材を絶縁ハウジングに対して回動させる回動軸のガタツキ等に起因して、シェル部材に伴って回動する係止手段における係止突起が、絶縁ハウジングに形成された挿通孔に対する位置ずれを生じて、挿通孔を通じて板状部材差込み部内に突出することができず、その結果、板状部材差込み部に差し込まれた配線板状部材を係止する状態をとれなくなってしまう虞がある。さらに、係止手段における係止突起による板状部材差込み部に差し込まれた配線板状部材に対する係止が行われる状態は、係止手段が具える弾性によって係止突起が配線板状部材に係合せしめられることによりとられるが、係止手段が具える弾性が劣化した場合には、係止突起による板状部材差込み部に差し込まれた配線板状部材に対する係止が適正に行われなくなってしまう虞がある。
【００１２】
斯かる点に鑑み、本願の特許請求の範囲に記載された発明は、配線板状部材が差し込まれる板状部材差込み部が設けられた絶縁ハウジングと、絶縁ハウジング内に配列配置されて設けられ、板状部材差込み部に差し込まれた配線板状部材に設けられた複数の接続端子部に夫々接触接続される複数のコンタクトと、絶縁ハウジングを部分的に覆うものとして配されて、板状部材差込み部に差し込まれた配線板状部材を係止するロック部が形成されたシェル部材とを備えたコネクタ装置であって、シェル部材を絶縁ハウジングに対して回動可能とする必要がなく、それにより、部品点数を比較的少として製造コストの低減を図ることができ、さらに、絶縁ハウジングに設けられた板状部材差込み部に差し込まれた配線板状部材に対する板状部材差込み部からの不所望な抜脱を阻止するための係止を適正かつ確実に行えるとともに、その係止の解除を容易に行えることになるものを提供する。
【課題を解決するための手段】
【００１３】
本願の特許請求の範囲における請求項１から請求項４までのいずれかに記載された発明（以下、本発明という。）に係るコネクタ装置は、板状部材差込み部が設けられた絶縁ハウジングと、絶縁ハウジング内に配列配置されて、配線板状部材が板状部材差込み部に差し込まれたとき、配線板状部材における複数の接続端子部に接触接続される複数のコンタクトと、絶縁ハウジングにおける板状部材差込み部が開口する部分を除く他の部分の表面を部分的に覆うものとして配され、板状部材差込み部内へと伸びて板状部材差込み部に差し込まれた配線板状部材を係止する状態をとるロック部が形成されたシェル部材とを備えて成り、シェル部材又は絶縁ハウジングにシェル部材に対して回動可能に取付けられて、ロック部に当接する状態とロック部から離隔した状態とを選択的にとるロック補助部材が設けられており、ロック部が、ロック補助部材の当接を受ける受け部と配線板状部材を係止する係止部とを有してシェル部材により片持ち支持された弾性腕状部を成していて、受け部がロック補助部材の当接を受けるとき、弾性変位を生じて係止部を板状部材差込み部内に突出させるものとされ、受け部が、ロック部が成す弾性腕状部におけるシェル部材との連結部分の近傍に形成されるとともに、係止部が、ロック部が成す弾性腕状部における自由端部分に形成されていることを特徴とするものとされる。
【００１４】
特に、本願の特許請求の範囲における請求項２に記載された本発明に係るコネクタ装置においては、ロック補助部材がロック部に当接する状態からロック部から離隔した状態に移行したとき、ロック部における受け部がロック補助部材の当接を受けなくなり、ロック部が、弾性復帰を生じてロック部における係止部を板状部材差込み部外に位置させる。
【００１５】
上述のような本発明に係るコネクタ装置にあっては、シェル部材又は絶縁ハウジングにシェル部材に対して回動可能に取付けられたロック補助部材がロック部に当接する状態をとるもとにおいて、配線板状部材が絶縁ハウジングに設けられた板状部材差し込み部に差し込まれると、ハウジング内に配列配置された複数のコンタクトが、板状部材差し込み部に差し込まれた配線板状部材における複数の接続端子部に接触接続されるとともに、シェル部材に形成されたロック部が、板状部材差し込み部に差し込まれた配線板状部材を係止する。ロック補助部材がロック部に当接する状態をとるもとにあっては、ロック部が成す弾性腕状部におけるシェル部材との連結部分の近傍に形成された受け部がロック補助部材の当接を受け、それにより、ロック部が弾性変位を生じて弾性腕状部における自由端部分に形成された係止部を板状部材差し込み部内に突出させるものとされている。それゆえ、斯かるもとで、配線板状部材が板状部材差し込み部に差し込まれるときには、板状部材差し込み部内に突出したロック部における係止部が配線板状部材に係合して当該配線板状部材を係止する。
【００１６】
また、本願の特許請求の範囲における請求項２に記載された本発明に係るコネクタ装置にあっては、ロック補助部材がロック部に当接する状態からロック部から離隔した状態に移行せしめられると、ロック部が成す弾性腕状部が有する受け部がロック補助部材の当接を受けなくなり、弾性腕状部を成すロック部が、弾性復帰を生じて、弾性腕状部が有する係止部を板状部材差込み部外に位置させる。それにより、板状部材差し込み部内に突出したロック部における係止部が板状部材差し込み部に差し込まれた配線板状部材に係合して当該配線板状部材を係止しているもとで、ロック補助部材がロック部に当接する状態からロック部から離隔した状態に移行せしめられたときには、ロック部における係止部が配線板状部材に係合しなくなって当該配線板状部材に対する係止を解除する。
【発明の効果】
【００１７】
本発明に係るコネクタ装置においては、上述のように、絶縁ハウジングに設けられた板状部材差込み部に差し込まれた配線板状部材に対して、板状部材差込み部からの不所望な抜脱を阻止すべく、シェル部材に形成されたロック部による係止を行うにあたり、シェル部材を絶縁ハウジングに対して回動可能とする必要がなく、それにより、絶縁ハウジングに対して固定されたシェル部材をコネクタ装置の配線基板への固定のために利用することができて、別途、コネクタ装置を配線基板に固定するための部材を備えることが不要とされる。その結果、本発明に係るコネクタ装置によれば、部品点数を比較的少として製造コストの低減を効果的に図ることができる。
【００１８】
また、本発明に係るコネクタ装置によれば、シェル部材又は絶縁ハウジングにシェル部材に対して回動可能に取付けられて、ロック部に当接する状態とロック部から離隔した状態とを選択的にとるロック補助部材が設けられており、板状部材差込み部に差し込まれた配線板状部材に対する係止を行うロック部が、ロック補助部材の当接を受ける受け部と配線板状部材を係止する係止部とを有してシェル部材により片持ち支持された弾性腕状部を成し、受け部が、弾性腕状部におけるシェル部材との連結部分の近傍に形成されるとともに、係止部が、弾性腕状部における自由端部分に形成されていて、受け部がロック補助部材の当接を受けるとき、弾性変位を生じて係止部を板状部材差込み部内に突出させるものとされているので、ロック補助部材にロック部に当接する状態をとらせることにより、板状部材差込み部に差し込まれた配線板状部材に対するロック部における係止部による係止を、その係止自体をロック部が備える弾性に依存することなく、適正かつ確実に行うことができる。
【００１９】
さらに、本願の特許請求の範囲における請求項２に記載された本発明に係るコネクタ装置によれば、ロック補助部材がロック部に当接する状態からロック部から離隔した状態に移行せしめられると、ロック部が成す弾性腕状部が有する受け部がロック補助部材の当接を受けなくなり、弾性腕状部を成すロック部が、弾性復帰を生じて、弾性腕状部が有する係止部を板状部材差込み部外に位置させるので、ロック補助部材にロック部から離隔した状態をとらせるだけの極めて簡単な操作によって、板状部材差込み部に差し込まれた配線板状部材に対するロック部における係止部による係止を解除することができる。
【図面の簡単な説明】
【００２０】
【図１】本発明に係るコネクタ装置の第１の例を示す斜視図である。
【図２】本発明に係るコネクタ装置の第１の例を示す平面図である。
【図３】本発明に係るコネクタ装置の第１の例を示す正面図である。
【図４】本発明に係るコネクタ装置の第１の例に備えられるシェル部材及びロッ    ク補助部材を示す斜視図である。
【図５】図２における V−V 線断面を示す断面図である。
【図６】本発明に係るコネクタ装置の第１の例に差し込まれるフレキシブル印刷配線基板を示す斜視図である。
【図７】本発明に係るコネクタ装置の第１の例に図６に示されるフレキシブル印刷配線基板が差し込まれた状態を示す斜視図である。
【図８】本発明に係るコネクタ装置の第１の例に図６に示されるフレキシブル印刷配線基板が差し込まれた状態を示す断面図である。
【図９】本発明に係るコネクタ装置の第１の例に備えられたロック部が図６に示されるフレキシブル印刷配線基板を係止する過程を示す断面図である。
【図１０】本発明に係るコネクタ装置の第１の例に備えられたロック部が図６に示されるフレキシブル印刷配線基板を係止した状態を示す断面図である。
【図１１】本発明に係るコネクタ装置の第１の例に図６に示されるフレキシブル印刷配線基板が差し込まれたもとで、第１の例に備えられたロック補助部材が第１の例に備えられたロック部から離隔した状態におかれた様子を示す斜視図である。
【図１２】本発明に係るコネクタ装置の第１の例に図６に示されるフレキシブル印刷配線基板が差し込まれたもとで、第１の例に備えられたロック補助部材が第１の例に備えられたロック部から離隔した状態におかれた様子を示す断面図である。
【図１３】本発明に係るコネクタ装置の第２の例を示す斜視図である。
【図１４】本発明に係るコネクタ装置の第２の例に備えられたロック補助部材が第２の例に備えられたロック部から離隔した状態におかれた様子を示す斜視図である。
【発明を実施するための形態】
【００２１】
本発明を実施するための形態は、以下に述べられる本発明についての実施例をもって説明される。
【実施例１】
【００２２】
図１（斜視図），図２（平面図）及び図３（正面図）は、本発明に係るコネクタ装置の第１の例を示す。
【００２３】
図１，図２及び図３において、本発明に係るコネクタ装置の第１の例を成すコネクタ装置１０は、合成樹脂等の絶縁材料によって形成された絶縁ハウジング１１を備えている。絶縁ハウジング１１には、その正面側端面部分１１ａにおいて開口する板状部材差込み部１２が設けられており、この板状部材差込み部１２は、それが開口する絶縁ハウジング１１の正面側端面部分１１ａから絶縁ハウジング１１の内部へと広がる絶縁ハウジング内空間部を形成している。
【００２４】
絶縁ハウジング１１は、例えば、図示されていない主配線基板に配され、それにより、コネクタ装置１０の全体が主配線基板に取り付けられたものとされる。その際、絶縁ハウジング１１における正面側端面部分１１ａと背面側端面部分１１ｂとに挟まれた一対の対向端面部分のうちの一方が主配線基板に対接する端面部分１１ｃとされて他方が解放された端面部分１１ｄとされている。以下においては、主配線基板に対接する絶縁ハウジング１１の端面部分１１ｃを下方端面部分１１ｃといい、それに対向する絶縁ハウジング１１の端面部分１１ｄを上方端面部分１１ｄというとともに、下方端面部分１１ｃから上方端面部分１１ｄに向かう方向を上向き方向といい、上方端面部分１１ｄから下方端面部分１１ｃに向かう方向を下向き方向という。そして、絶縁ハウジング１１における上方端面部分１１ｄには、正面側から見て左右方向の両端部の夫々の近傍に、一対の透孔１１Ｈが形成されている。このようなもとで、絶縁ハウジング１１に設けられた板状部材差込み部１２に、例えば、後述されるフレキシブル印刷配線基板が配線板状部材を成すものとして差し込まれる。
【００２５】
絶縁ハウジング１１には、各々が弾性導電材料で形成された複数のコンタクト１３が、絶縁ハウジング１１の長手方向（正面側から見て左右方向）に沿って配列配置されて設けられている。複数のコンタクト１３の夫々は、上向き方向に突出して、配線板状部材を成すフレキシブル印刷配線基板における複数の接続端子部に押圧接触するものとされる接触部１３ａと、絶縁ハウジング１１の背面側端面部分１１ｂからその外部に導出されて、絶縁ハウジング１１が配された主配線基板に設けられた配線端子に、例えば、半田付けにより接続されるものとされる基板接続部１３ｂとを有しており、具体的には、配線板状部材を成すフレキシブル印刷配線基板における複数の信号用，接地用あるいは電源用接続端子部に接触接続される信号用，接地用、あるいは、電源用コンタクトとして用いられる。そして、複数のコンタクト１３は、例えば、絶縁ハウジング１１の背面側端面部分側１１ｂから、絶縁ハウジング１１の内部へと押圧挿入されて、その接触部１３ａが設けられた部分が板状部材差込み部１２内に配されるものとされる。
【００２６】
これらの複数のコンタクト１３の夫々は、配線板状部材を成すフレキシブル印刷配線基板が絶縁ハウジング１１に設けられた板状部材差込み部１２に差し込まれたとき、差し込まれたフレキシブル印刷配線基板における複数の接続端子部のうちの対応するものに接触部１３ａを押圧接触させ、それにより、複数のコンタクト１３がフレキシブル印刷配線基板における複数の接続端子部に夫々接触接続される。その結果、板状部材差込み部１２に差し込まれたフレキシブル印刷配線基板における複数の接続端子部が、複数のコンタクト１３を介して、絶縁ハウジング１１が配された主配線基板に設けられた配線端子に連結されることになる。
【００２７】
また、コネクタ装置１０は、絶縁ハウジング１１における板状部材差込み部１２が開口する部分である正面側端面部分１１ａを除く他の部分、即ち、上方端面部分１１ｄ，左側端面部分，下方端面部分１１ｃ，右側端面部分及び背面側端面部分１１ｂの表面を部分的に覆う導電性のシェル部材１４を、絶縁ハウジング１１に対して固定されたものとして備えている。このシェル部材１４は、金属板が加工成形されて構成されており、複数のコンタクト１３についての特性インピーダンス調整に貢献するため、さらには、コネクタ装置１０についての外部からの電磁波ノイズ対策のため、即ち、コネクタ装置１０における外部からの電磁波ノイズに対するシールド効果を得るためのものとして、備えられている。
【００２８】
シェル部材１４は、絶縁ハウジング１１における正面側端面部分１１ａ，背面側端面部分１１ｂ及び下方端面部分１１ｃについてはそれらの表面を覆っていないが、絶縁ハウジング１１における左側端面部分及び右側端面部分についてはそれらの表面を略全体的に覆っており、さらに、絶縁ハウジング１１における上方端面部分１１ｄについてはその表面の大部分を覆っている。また、シェル部材１４には、複数の接地接続端子部１４ａが設けられていて、これらの接地接続端子部１４ａの夫々は、絶縁ハウジング１１が配される主配線基板に設けられた接地端子に、例えば、半田付けにより連結される。
【００２９】
このように、シェル部材１４が、絶縁ハウジング１１における上方端面部分１１ｄの表面の大部分を覆うとともに絶縁ハウジング１１における左側端面部分及び右側端面部分の夫々の表面を略全体的に覆い、それに設けられた複数の接地接続端子部１４ａが、主配線基板に設けられた接地端子に、例えば、半田付けにより連結されたものとされることにより、シェル部材１４から複数のコンタクト１３の夫々までの距離が比較的小なる略均等なものとなって、シェル部材１４の複数のコンタクト１３の特性インピーダンス調整への貢献度合が大とされ、さらに、シェル部材１４による外部からの電磁波ノイズに対するシールド効果が効果的に得られることになるとともに、シェル部材１４をコネクタ装置１０の主配線基板への固定に利用できることになる。複数のコンタクト１３の特性インピーダンス調整とは、複数のコンタクト１３についての特性インピーダンスを、複数のコンタクト１３が夫々接触接続される配線板状部材を成すフレキシブル印刷配線基板における複数の接続端子部の特性インピーダンスと整合させるための調整である。
【００３０】
また、シェル部材１４には、絶縁ハウジング１１の上方端面部分１１ｄにおける左側端面部分の近傍部分及び右側端面部分の近傍部分に夫々対応する部分に、各々が、絶縁ハウジング１１における上方端面部分１１ｄに設けられた透孔１１Ｈを通じて、絶縁ハウジング１１に設けられた板状部材差込み部１２内へと伸び、板状部材差込み部１２に差し込まれたフレキシブル印刷配線基板を係止する状態をとる一対のロック部１５が形成されている。即ち、絶縁ハウジング１１に設けられた透孔１１Ｈは、板状部材差込み部１２を絶縁ハウジング１１の外部に連通させるものとされている。さらに、シェル部材１４には、ロック補助部材１６がシェル部材１４に対して回動可能に軸着されて配されている。ロック補助部材１６は、シェル部材１４に形成された一対のロック部１５の夫々に当接する状態と一対のロック部１５の夫々から離隔した状態とを選択的にとる。
【００３１】
シェル部材１４及びロック補助部材１６をそれらだけを取り出して、ロック補助部材１６がシェル部材１４に形成された一対のロック部１５の夫々から離隔した状態を示す図４に示されるように、シェル部材１４に形成された一対のロック部１５の夫々は、シェル部材１４により片持ち支持されて、絶縁ハウジング１１の背面側端面部分１１ｂ側から絶縁ハウジング１１の正面側端面部分１１ａ側に向かうことになる方向に伸びる弾性腕状部を成している（以下、ロック部１５を弾性腕状部１５という。）斯かる弾性腕状部１５は、ロック補助部材１６がシェル部材１４に形成された一対の弾性腕状部１５の夫々に当接する状態をとるときロック補助部材１６の当接を受ける受け部１７と絶縁ハウジング１１に設けられた板状部材差込み部１２に差し込まれたフレキシブル印刷配線基板を係止する係止部１８とを有している。受け部１７は、弾性腕状部１５におけるシェル部材１４との連結部分の近傍に形成されており、また、係止部１８は、弾性腕状部１５における自由端部分に、それから下向き方向に突出する突起を成すものとして形成されている。そして、シェル部材１４における一対の弾性腕状部１５の夫々に対応する部分には、透孔１９が形成されていて、弾性腕状部１５は、透孔１９を通じて、下向き方向及び上向き方向に弾性変位することができるものとされている。
【００３２】
ロック補助部材１６は、シェル部材１４と同様に、金属板が加工成形されて構成されており、相互対向する一対の脚部２０と弾性腕状部１５が伸びる方向に直交する方向に伸びて一対の脚部２０を連結する板状連結部２１とを有している。そして、一対の脚部２０の夫々の端部２０ａがシェル部材１４に軸着されていて、それにより、ロック補助部材１６の全体がシェル部材１４に対して回転可能とされており、板状連結部２１を一対の弾性腕状部１５の夫々が成す弾性腕状部における受け部１７に当接させる状態と、板状連結部２１を弾性腕状部１５の夫々が成す弾性腕状部における受け部１７から離隔させる状態とを選択的にとる。従って、一対の弾性腕状部１５の夫々が成す弾性腕状部における受け部１７は、ロック補助部材１６が一対の弾性腕状部１５の夫々に当接する状態をとるとき、ロック補助部材１６における板状連結部２１の当接を受けるものとされることになる。
【００３３】
さらに、シェル部材１４における絶縁ハウジング１１の左側端面部分の表面及び右側端面部分の表面を夫々覆う一対の側端部分の夫々に、突起を成す係合部２２（係合部２２の一方は図にあらわれていない。）が形成されるとともに、ロック補助部材１６における板状連結部２１のそれが伸びる方向の両端部の夫々に、透孔を成す係合部２３（係合部２３の一方は図にあらわれていない。）が形成されている。そして、ロック補助部材１６が一対の弾性腕状部１５の夫々に当接する状態をとるとき、シェル部材１４に設けられた係合部２２とロック補助部材１６における板状連結部２１に形成された係合部２３とが相互係合し、それにより、ロック補助部材１６における板状連結部２１が弾性腕状部１５における受け部１７に当接した状態が維持される。
【００３４】
図１〜図３に示されるコネクタ装置１０にあっては、ロック補助部材１６がシェル部材１４に形成された一対の弾性腕状部１５の夫々に当接する状態をとるものとされ、シェル部材１４に設けられた係合部２２とロック補助部材１６における板状連結部２１に形成された係合部２３とが相互係合したものとされている。斯かるもとにおいては、図２における V−V 線断面を示す図５に示されるように、一対の弾性腕状部１５の夫々が成す弾性腕状部における受け部１７が、ロック補助部材１６おける板状連結部２１の当接を受けるものとされ、それにより、弾性腕状部１５が、絶縁ハウジング１１における上方端面部分１１ｄに設けられた透孔１１Ｈ及びシェル部材１４に設けられた透孔１９を通じて、下向き方向の弾性変位を生じ、弾性腕状部１５における係止部１８を絶縁ハウジング１１に設けられた板状部材差し込み部１２内に突出させている。
【００３５】
図６は、コネクタ装置１０における絶縁ハウジング１１に設けられた板状部材差込み部１２に差し込まれる、配線板状部材を成すフレキシブル印刷配線基板の一例であるフレキシブル印刷配線基板３０を示す。
【００３６】
図６に示されるフレキシブル印刷配線基板３０には、その一端部に各々が細い短冊状に形成された複数の接続端子部３１が配列配置されて設けられている。また、フレキシブル印刷配線基板３０における複数の接続端子部３１を挟んで相互対向する一対の側縁部には、一対の係止係合部３２が夫々形成されていて、一対の側縁部の夫々における係止係合部３２より先端側の部分が先端平板部３３とされている。
【００３７】
一対の係止係合部３２は、各々が切欠きを形成するものとされているが、これらの切欠に代えて、フレキシブル印刷配線基板３０の一対の側縁部に夫々配される一対の係合孔を形成するものとされてもよい。そして、フレキシブル印刷配線基板３０においては、配列配置された複数の接続端子部３１、及び、一対の係止係合部３２または一対の係合孔が形成された部分を残して、それら以外の回路構成部を含んだ部分がカバーフィルム３４によって覆われている。
【００３８】
このようなフレキシブル印刷配線基板３０は、コネクタ装置１０が図１〜図３に示されるようにロック補助部材１６がシェル部材１４に形成された一対の弾性腕状部１５の夫々に当接する状態をとるものとされたもとで、コネクタ装置１０における絶縁ハウジング１１に設けられた板状部材差込み部１２に、複数の接続端子部３１が配列配置された面を絶縁ハウジング１１の下方端面部分１１ｃに向けた状態をもって差し込まれる。それにより、図７に示されるような、コネクタ装置１０における絶縁ハウジング１１に設けられた板状部材差込み部１２にフレキシブル印刷配線基板３０が差し込まれた状態が得られる。
【００３９】
図７に示される状態のもとにあっては、図８に示されるように、絶縁ハウジング１１に設けられた板状部材差込み部１２内において、絶縁ハウジング１１に配列配置された複数のコンタクト１３の夫々における接触部１３ａが、板状部材差込み部１２に差し込まれたフレキシブル印刷配線基板３０における複数の接続端子部３１のうちの対応するものに押圧接触する。それにより、板状部材差込み部１２に差し込まれたフレキシブル印刷配線基板３０における複数の接続端子部３１が、複数のコンタクト１３を介して、絶縁ハウジング１１が配された主配線基板に設けられた配線端子に連結される。
【００４０】
また、上述のように、ロック補助部材１６がシェル部材１４に形成された一対の弾性腕状部１５の夫々に当接する状態をとるものとされたもとで、コネクタ装置１０における絶縁ハウジング１１に設けられた板状部材差込み部１２にフレキシブル印刷配線基板３０が差し込まれるにあたっては、その過程において、フレキシブル印刷配線基板３０の先端部が、板状部材差込み部１２内に突出するものとされた、弾性腕状部１５における係止部１８に当接し、その後、図９に示されるように、フレキシブル印刷配線基板３０における先端平板部３３が弾性腕状部１５における係止部１８を上向き方向に押し上げる状態がとられる。
【００４１】
続いて、板状部材差込み部１２に対するフレキシブル印刷配線基板３０の差込みが更に進められて、フレキシブル印刷配線基板３０の板状部材差込み部１２への差込みが完了したときには、図１０に示されるように、フレキシブル印刷配線基板３０における先端平板部３３が弾性腕状部１５における係止部１８を通り過ぎて、弾性腕状部１５がその弾性により係止部１８を元の位置に復帰させ、係止部１８がフレキシブル印刷配線基板３０における係止係合部３２に係合する状態とされる。斯かるもとにあっては、一対の弾性腕状部１５の夫々が成す弾性腕状部における係止部１８がフレキシブル印刷配線基板３０を係止し、フレキシブル印刷配線基板３０の板状部材差込み部１２からの不所望な抜脱が阻止される。
【００４２】
その後、図１０に示されるように、一対の弾性腕状部１５の夫々が成す弾性腕状部における係止部１８がフレキシブル印刷配線基板３０を係止しているもとで、図１１及び図１２に示されるように、シェル部材１４に設けられた係合部２２とロック補助部材１６における板状連結部２１に形成された係合部２３との相互係合が解除されて、ロック補助部材１６が、シェル部材１４に形成された一対の弾性腕状部１５の夫々に当接する状態から、シェル部材１４に形成された一対の弾性腕状部１５の夫々から離隔した状態に移行せしめられると、一対の弾性腕状部１５における受け部１７が、ロック補助部材１６おける板状連結部２１の当接を受けないものとされ、それにより、弾性腕状部１５が、絶縁ハウジング１１における上方端面部分１１ｄに設けられた透孔１１Ｈ及びシェル部材１４に設けられた透孔１９を通じて、上向き方向の弾性復帰を生じて、弾性腕状部１５における係止部１８を絶縁ハウジング１１に設けられた板状部材差し込み部１２外に位置させる。それにより、弾性腕状部１５における係止部１８がフレキシブル印刷配線基板３０における係止係合部３２に係合しなくなり、係止部１８によるフレキシブル印刷配線基板３０に対する係止が解除される。その結果、フレキシブル印刷配線基板３０を絶縁ハウジング１１に設けられた板状部材差込み部１２から意図的に抜脱させ得ることになる。
【００４３】
上述のような本発明に係るコネクタ装置の第１の例を成すコネクタ装置１０においては、絶縁ハウジング１１に設けられた板状部材差込み部１２に差し込まれたフレキシブル印刷配線基板３０に対して、板状部材差込み部１２からの不所望な抜脱を阻止すべく、シェル部材１４に形成された一対の弾性腕状部１５による係止を行うにあたり、シェル部材１４を絶縁ハウジング１１に対して回動可能とする必要がなく、それにより、絶縁ハウジング１１に対して固定されたシェル部材１４をコネクタ装置１０の主配線基板への固定のために利用することができて、別途、コネクタ装置１０を主配線基板に固定するための部材を備えることが不要とされる。その結果、コネクタ装置１０によれば、部品点数を比較的少として製造コストの低減を効果的に図ることができる。
【００４４】
また、コネクタ装置１０によれば、シェル部材１４にそれに対して回動可能に取付けられて、一対の弾性腕状部１５の夫々に当接する状態と一対の弾性腕状部１５の夫々から離隔した状態とを選択的にとるロック補助部材１６が設けられており、板状部材差込み部１２に差し込まれたフレキシブル印刷配線基板３０に対する係止を行う一対の弾性腕状部１５の夫々が、ロック補助部材１６における板状連結部２１の当接を受ける受け部１７とフレキシブル印刷配線基板３０を係止する係止部１８とを有してシェル部材１４により片持ち支持された弾性腕状部を成していて、受け部１７がロック補助部材１６における板状連結部２１の当接を受けるとき、弾性変位を生じて係止部１８を板状部材差込み部１２内に突出させるものとされているので、ロック補助部材１６に一対の弾性腕状部１５の夫々に当接する状態をとらせることにより、板状部材差込み部１２に差し込まれたフレキシブル印刷配線基板３０に対する一対の弾性腕状部１５における係止部１８による係止を、その係止自体を一対の弾性腕状部１５の夫々が備える弾性に依存することなく、適正かつ確実に行うことができる。
【００４５】
さらに、コネクタ装置１０によれば、ロック補助部材１６が一対の弾性腕状部１５の夫々に当接する状態から一対の弾性腕状部１５の夫々から離隔した状態に移行せしめられると、一対の弾性腕状部１５の夫々における受け部１７がロック補助部材１６における板状連結部２１の当接を受けなくなり、一対の弾性腕状部１５の夫々が、弾性復帰を生じて、一対の弾性腕状部１５の夫々における係止部１８を板状部材差込み部１２外に位置させるので、ロック補助部材１６に一対の弾性腕状部１５の夫々から離隔した状態をとらせるだけの極めて簡単な操作によって、板状部材差込み部１２に差し込まれたフレキシブル印刷配線基板３０に対する一対の弾性腕状部１５の夫々における係止部１８による係止を解除することができる。
【００４６】
図１３（斜視図）及び図１４（斜視図）は、本発明に係るコネクタ装置の第２の例を成すコネクタ装置４０を示す。
【００４７】
図１３及び図１４に示されるコネクタ装置４０は、図１〜図３に示されるコネクタ装置１０が備える各種の部材及び部分と同様の部材及び部分を多々備えて構成されており、図１３及び図１４に示される部材及び部分であって図１〜図３に示される部材及び部分に対応するものは、図１〜図３と共通の符号が付されている。
【００４８】
図１３及び図１４に示されるコネクタ装置４０にあっては、一対の弾性腕状部１５の夫々に当接する状態と一対の弾性腕状部１５の夫々から離隔した状態とを選択的にとるロック補助部材１６における一対の脚部２０の端部２０ａが、絶縁ハウジング１１における左側端面部分及び右側端面部分に夫々に軸着されていて、それにより、ロック補助部材１６の全体がシェル部材１４に対して回転可能とされており、一対の脚部２０を連結する板状連結部２１を一対の弾性腕状部１５の夫々が成す弾性腕状部における受け部１７に当接させる状態と、板状連結部２１を一対の弾性腕状部１５の夫々が成す弾性腕状部における受け部１７から離隔させる状態とを選択的にとる。その他の構成は、図１〜図３に示されるコネクタ装置１０の構成と同様である。
【００４９】
このような本発明に係るコネクタ装置の第２の例を成すコネクタ装置４０によっても、前述の本発明に係るコネクタ装置の第１の例を成すコネクタ装置１０によって得られる作用効果と同様の作用効果が得られる。
【産業上の利用可能性】
【００５０】
以上のような本発明に係るコネクタ装置は、配線板状部材が差し込まれる板状部材差込み部が設けられた絶縁ハウジングと、絶縁ハウジング内に配列配置されて設けられ、板状部材差込み部に差し込まれた配線板状部材に設けられた複数の接続端子部に夫々接触接続される複数のコンタクトと、絶縁ハウジングを部分的に覆うものとして配されて、板状部材差込み部に差し込まれた配線板状部材を係止するロック部が形成されたシェル部材とを備えたコネクタ装置であって、シェル部材を絶縁ハウジングに対して回動可能とする必要がなく、それにより、部品点数を比較的少として製造コストの低減を図ることができ、さらに、絶縁ハウジングに設けられた板状部材差込み部に差し込まれた配線板状部材に対する板状部材差込み部からの不所望な抜脱を阻止するための係止を適正かつ確実に行えるとともに、その係止の解除を容易に行えることになるものとして、様々な電子機器等に広く適用され得るものである。
【符号の説明】
【００５１】
１０，４０・・・コネクタ装置，  １１・・・絶縁ハウジング，  １１Ｈ，１９・・・透孔，  １２・・・板状部材差込み部，  １３・・・コンタクト，  １４・・・シェル部材，  １５・・・ロック部（弾性腕状部），  １６・・・ロック補助部材，  １７・・・受け部，  １８・・・係止部，  ２０・・・脚部，  ２１・・・板状連結部，  ２２，２３・・・係合部，  ３０・・・フレキシブル印刷配線基板，  ３１・・・接続端子部，  ３２・・・係止係合部，  ３３・・・先端平板部，  ３４・・・カバーフィルム
【図１】
0006380744.tif 000002
【図２】
0006380744.tif 000003
【図３】
0006380744.tif 000004
【図４】
0006380744.tif 000005
【図５】
0006380744.tif 000006
【図６】
0006380744.tif 000007
【図７】
0006380744.tif 000008
【図８】
0006380744.tif 000009
【図９】
0006380744.tif 000010
【図１０】
0006380744.tif 000011
【図１１】
0006380744.tif 000012
【図１２】
0006380744.tif 000013
【図１３】
0006380744.tif 000014
【図１４】
0006380744.tif 000015